(57)【要約】      （修正有）【課題】ユーザーに効果的な支持を提供すると同時に、安定したシンプルな構造を有し、耐久性がある椅子を提供する。【解決手段】シートバック部１と、シートバック部に接続されるシート部２とを備える椅子であって、シートバック部の両側には、いずれもシートバックブラケット１２が設けられ、２つのシートバックブラケットの頂部間には、第１のステー３が設けられ、第１のステーの端部がシートバックブラケットの頂部に回動可能に接続され、第１のステーの一方側は、第１の依存部を形成するために内へ凹んでおり、それに対応して、第１のステーの他方側は、第１のガイド部を形成するために凸状になる。ユーザーの背中が第１の依存部に接触すると、背中が依存部に密着し、背中が第１のガイド部に接触すると、第１のステーが第１の依存部まで回動して、背中に完全に密着する。【選択図】図１
0003229270.tif 000002
【実用新案登録請求の範囲】
【請求項１】
シートバック部（１）と、前記シートバック部（１）に接続されるシート部（２）とを備える椅子であって、
前記シートバック部（１）の両側には、いずれもシートバックブラケット（１２）が設けられ、
２つの前記シートバックブラケット（１２）の頂部間には、第１のステー（３）が設けられ、
前記第１のステー（３）の端部が前記シートバックブラケット（１２）の頂部に回動可能に接続され、
前記第１のステー（３）の一方の側は、第１の依存部（３１）を形成するために内へ凹んでおり、
それに対応して、前記第１のステー（３）の他方の側は、第１のガイド部（３２）を形成するために凸状になる、ことを特徴とする椅子。
【請求項２】
前記シート部（２）の両側には、いずれもシートブラケット（１３）が設けられ、
２つの前記シートブラケット（１３）の頂部間には、第２のステー（４）が設けられ、
前記第２のステー（４）の端部が前記シートブラケット（１３）の前端部に回動可能に接続され、
前記第２のステー（４）の一方の側は、第２の依存部（４１）を形成するために内へ凹んでおり、
それに対応して、前記第２のステー（４）の他方の側は、第２のガイド部（４２）を形成するために凸状になる、ことを特徴とする請求項１に記載の椅子。
【請求項３】
２つの前記シートバックブラケット（１２）は２つの第１のコネクター（５）をさらに備え、
前記第１のコネクター（５）の底部には、第１の挿装溝（５１）が設けられ、
前記シートバックブラケット（１２）頂部が前記第１の挿装溝（５１）に挿装され、
前記第１のコネクター（５）の上部が前記第１のステー（３）に回動可能に接続される、ことを特徴とする請求項１に記載の椅子。
【請求項４】
２つの前記シート部ブラケット（１３）は２つの第２のコネクター（６）をさらに備え、
前記第２のコネクター（６）の底部には、第２の挿装溝（６１）が設けられ、
前記シート部ブラケット（１３）前端部が前記第２の挿装溝（６１）に挿装され、
前記第２のコネクター（６）の上部が前記第２のステー（４）に回動可能に接続される、ことを特徴とする請求項２に記載の椅子。
【請求項５】
前記第１の挿装溝（５１）側壁には、第１のストッパ貫通孔（５２）が設けられ、
前記シートバックブラケット（１２）頂部には、第１のストッパ溝（１２１）が設けられ、
前記第１のストッパ溝（１２１）内には、第１の弾性具（１２２）と第１のストッパ塊（１２３）が設けられ、
前記第１の弾性具（１２２）の一方の端が、前記第１のストッパ溝（１２１）底部に当接され、
前記第１の弾性具（１２２）の他方の端が前記第１のストッパ塊（１２３）に当接され、
前記第１のストッパ塊（１２３）は、前記第１のストッパ溝（１２１）内にスライド可能であり、
前記シートバックブラケット（１２）頂部が前記第１の挿装溝（５１）に挿装された時、前記第１のストッパ塊（１２３）が前記第１のストッパ貫通孔（５２）に挿入される、ことを特徴とする請求項３に記載の椅子。
【請求項６】
前記第２の挿装溝（６１）側壁には、第２のストッパ貫通孔（６２）が設けられ、
前記シートブラケット（１３）前端部には、第２のストッパ溝（１３１）が設けられ、
前記第２のストッパ溝（１３１）内には、第２の弾性具（１３２）と第２のストッパ塊（１３３）が設けられ、
前記第２の弾性具（１３２）の一方の端が、前記第２のストッパ溝（１３１）底部に当接され、
前記第２の弾性具（１３２）の他方の端が、前記第２のストッパ塊（１３３）に当接され、
前記第２のストッパ塊（１３３）は、前記第２のストッパ溝（１３１）内にスライド可能であり、
前記シートブラケット（１３）前端部が前記第２の挿装溝（６１）に挿装された時、前記第２のストッパ塊（１３３）が前記第２のストッパ貫通孔（６２）に挿入される、ことを特徴とする請求項４に記載の椅子。
【請求項７】
第３のコネクター（７）をさらに備え、
前記第３のコネクター（７）の下部が前記シートブラケット（１３）後部に回動可能に接続され、
前記第３のコネクター（７）の上部が前記シートバックブラケット（１２）底部に回動可能に接続される、ことを特徴とする請求項１に記載の椅子。
【請求項８】
第４のコネクター（８）、前脚ブラケット（１４）、後脚ブラケット（１５）、及びアームレストブラケット（１６）をさらに備え、
前記第４のコネクター（８）が前記アームレストブラケット（１６）に固定され、
前記前脚ブラケット（１４）の頂部が前記第４のコネクター（８）前部に回動可能に固定され、
前記後脚ブラケット（１５）の頂部が前記第４のコネクター（８）中部に回動可能に固定され、
前記シートバックブラケット（１２）の中部が前記第４のコネクター（８）後部に回動可能に固定され、
前記シートブラケット（１３）の中部が前記前脚ブラケット（１４）中部に回動可能に接続される、ことを特徴とする請求項１に記載の椅子。
【請求項９】
第５のコネクター（９）をさらに備え、
前記第５のコネクター（９）の上部には、ストッパピラー（９１）が設けられ、
前記ストッパピラー（９１）が前記第３のコネクター（７）の上部に接続され、
前記第５のコネクター（９）の下部が前記後脚ブラケット（１５）中部に回動可能に設けられ、
前記シートバックブラケット（１２）頂部が前記シートブラケット（１３）から限界位置まで離れている時、前記ストッパピラー（９１）が前記後脚ブラケット（１５）に当接される、ことを特徴とする請求項７または請求項８に記載の椅子。
【請求項１０】
前記第１のステー（３）と前記第２のステー（４）とは、いずれも直線に引き延ばされたハーフログである、ことを特徴とする請求項１または請求項２に記載の椅子。
【考案の詳細な説明】
【技術分野】
【０００１】
本実用新案は、家具分野に関し、特に椅子に関する。
【背景技術】
【０００２】
椅子は、現代の生活でよく使われる家具として、人々の暮らしの中で広く使われており、社会の発展に伴い、折りたたみ椅子、リクライニング椅子、ロッキング椅子など、さまざまなタイプの椅子がある。折りたたみ椅子は、軽量で積み重ね可能なシートとして、移動に便利で、スペースも節約でき、さまざまなトレーニング機関、あらゆるレベルの学校、公共の場所、病院、レストラン、ホテル、企業、家族、その他の場所で広く使用されている。さらに、折りたたみ椅子の持ち運びや使い勝手の良さから、人々はますます折りたたみ椅子を利用する傾向がある。折りたたみ椅子は材質によって特性が異なっており、スチールチューブとプラスチックの椅子は硬い材質である。使用する時、ユーザーの快適性は低く、ユーザーの使用体験に影響を与える。鋼管とオックスフォード布を主材料とする椅子は、背中を効果的に支持できず、長期間使用すると健康に影響を与える。上記の問題を解決するために、本実用新案は、快適に使用でき、ユーザーを効果的に支持できる椅子を開示している。
【考案の概要】
【０００３】
従来技術の欠点を克服するために、本実用新案は、構造が簡単で使用に便利な椅子を提供する。
【０００４】
本実用新案がその技術的問題を解決するために用いた技術案は、以下のようになる。
本実用新案は、シートバック部と、前記シートバック部に接続されるシート部とを備える椅子であって、前記シートバック部の両側には、いずれもシートバックブラケットが設けられ、２つの前記シートバックブラケットの頂部間には、第１のステーが設けられ、前記第１のステーの端部が前記シートバックブラケットの頂部に回動可能に接続され、前記第１のステーの一方の側は、第１の依存部を形成するために内へ凹んでおり、それに対応して、前記第１のステーの他方の側は、第１のガイド部を形成するために凸状になる椅子を提供する。
【０００５】
さらには、前記シート部の両側には、いずれもシートブラケットが設けられ、２つの前記シートブラケットの頂部間には、第２のステーが設けられ、且つ前記第２のステーの端部が前記シートブラケットの前端部に回動可能に接続され、前記第２のステーの一方の側は、第２の依存部を形成するために内へ凹んでおり、それに対応して、前記第２のステーの他方の側は、第２のガイド部を形成するために凸状になる。
【０００６】
さらには、２つの前記シートバックブラケットは２つの第１のコネクターをさらに備え、前記第１のコネクターの底部には、第１の挿装溝が設けられ、前記シートバックブラケット頂部が前記第１の挿装溝に挿装され、前記第１のコネクターの上部が前記第１のステーに回動可能に接続される。
【０００７】
さらには、２つの前記シート部ブラケットは２つの第２のコネクターをさらに備え、前記第２のコネクターの底部には、第２の挿装溝が設けられ、前記シート部ブラケット前端部が前記第２の挿装溝に挿装され、前記第２のコネクターの上部が前記第２のステーに回動可能に接続される。
【０００８】
さらには、前記第１の挿装溝の側壁には、第１のストッパ貫通孔が設けられ、前記シートバックブラケット頂部には、第１のストッパ溝が設けられ、前記第１のストッパ溝内には、第１の弾性具と第１のストッパ塊が設けられ、前記第１の弾性具の一方の端が、前記第１のストッパ溝底部に当接され、前記第１の弾性具の他方の端が前記第１のストッパ塊に当接され、前記第１のストッパ塊は、前記第１のストッパ溝内にスライド可能であり、前記シートバックブラケット頂部が前記第１の挿装溝に挿装された時、前記第１のストッパ塊が前記第１のストッパ貫通孔に挿入される。
【０００９】
さらには、前記第２の挿装溝の側壁には、第２のストッパ貫通孔が設けられ、前記シートブラケット前端部には、第２のストッパ溝が設けられ、前記第２のストッパ溝内には、第２の弾性具と第２のストッパ塊が設けられ、前記第２の弾性具の一方の端が、前記第２のストッパ溝底部に当接され、前記第２の弾性具の他方の端が、前記第２のストッパ塊に当接され、前記第２のストッパ塊は、前記第２のストッパ溝内にスライド可能であり、前記シートブラケット前端部が前記第２の挿装溝に挿装された時、前記第２のストッパ塊が前記第２のストッパ貫通孔に挿入される。
【００１０】
さらには、この椅子は第３のコネクターをさらに備え、前記第３のコネクターの下部が前記シートブラケット後部に回動可能に接続され、前記第３のコネクターの上部が前記シートバックブラケット底部に回動可能に接続される。
【００１１】
さらには、この椅子は第４のコネクター、前脚ブラケット、後脚ブラケット、及びアームレストブラケットをさらに備え、前記第４のコネクターが前記アームレストブラケットに固定され、前記前脚ブラケットの頂部が前記第４のコネクター前部に回動可能に固定され、前記後脚ブラケットの頂部が前記第４のコネクター中部に回動可能に固定され、前記シートバックブラケットの中部が前記第４のコネクター後部に回動可能に固定され、前記シートブラケットの中部が前記前脚ブラケット中部に回動可能に接続される。
【００１２】
さらには、この椅子は第５のコネクターをさらに備え、前記第５のコネクターの上部には、ストッパピラーが設けられ、前記ストッパピラーが前記第３のコネクターの上部に接続され、前記第５のコネクターの下部が前記後脚ブラケット中部に回動可能に設けられ、前記シートバックブラケット頂部が前記シートブラケットから限界位置まで離れている時、前記ストッパピラーが前記後脚ブラケットに当接される。
【００１３】
さらには、２つの前記シートバックブラケットの間にはシートバック支持具が設けられ、２つの前記シートブラケットの間にはシート支持具が設けられる。
【００１４】
さらには、前記第１のステーと前記第２のステーとは、いずれも直線に引き延ばされたハーフログである。
【００１５】
さらには、前記前脚ブラケットの底部と前記後脚ブラケットの底部には、いずれも緩衝具が設けられる。
【００１６】
さらには、前記前脚ブラケットには前脚支持具が設けられ、前記前脚支持具の一方の端が前記左前脚ブラケット下部に接続され、前記前脚支持具の他方の端が前記右前脚ブラケット下部に接続される。
【００１７】
さらには、前記後脚ブラケットには後脚支持具が設けられ、前記後脚支持具の一方の端が前記左後脚ブラケット下部に接続され、前記後脚支持具の他方の端が前記右後脚ブラケット下部に接続される。
【００１８】
さらには、前記前脚ブラケットには前脚固定具が設けられ、前記前脚固定具の一方の端が前記前脚ブラケット下部に接続され、前記前脚固定具の他方の端が前記前脚支持具の端部に接続される。
【００１９】
さらには、前記後脚ブラケットには後脚固定具が設けられ、前記後脚固定具の一方の端が前記後脚ブラケット下部に接続され、前記後脚固定具の他方の端が前記後脚支持具の端部に接続される。
【００２０】
本実用新案の有益な効果は以下のようになる。上記の構造を設置することにより、使用する時、ユーザーがシートバックに寄りかかって、背中が第１の依存部に直接接触すると、内へ凹んだ第１の依存部が背中に完全に密着され、ユーザーに効果的な支持を提供する同時に、ユーザーに良い使用体験を与える。背中が第１のガイド部に接触すると、背中が凸状である第１のガイド部に押され、第１のステーが力を受けて第１の依存部までに回動されユーザー背中に完全に密着される。ユーザー背中と第１のステーとの接触面積を増加させるだけではなく、ユーザー背中が受ける圧力も減少され、且つ第１の依存部がユーザー背中に密着され、ユーザーに効果的な支持を提供する同時に、ユーザーに良い使用体験を与える。そして、第１のステーが左右シートバックブラケットの上部を接続したため、椅子はより安定しており、構造はシンプルで、デザインは合理で、快適で耐久性がある。
【図面の簡単な説明】
【００２１】
本実用新案の実施例における技術案をより明確に説明するために、以下は、実施例の説明に必要な図面を簡単に紹介し、以下の説明における図面は、本実用新案のいくつかの実施例にすぎない。当業者は、創造的な労働を支払わないことを前提として、これらの図面に基づいて他の図面を得ることができる。
【００２２】
図面と実施例を以下に結び付けて本実用新案をさらに説明する。
【００２３】
【図１】図１は、本実用新案の開き状態を示す構造概念図である。
【図２】図２は、本実用新案の折り畳む時の構造概念図である。
【図３】図３は、本実用新案の折り畳み状態を示す構造概念図である。
【図４】図４は、本実用新案の部分構造概念図である。
【図５】図５は、図４における円Ａでの拡大図である。
【図６】図６は、本実用新案の他部構造概念図である。
【図７】図７は、図６における円Ｂでの拡大図である。
【図８】図８は、本実用新案の分解構造概念図である。
【図９】図９は、図８における円Ｃでの拡大図の断面視である。
【図１０】図１０は、図８における円Ｄでの拡大図の断面視である。
【考案を実施するための形態】
【００２４】
図１から図１０を参照して、シートバック部１と、シートバック部１に接続されるシート部２とを備える椅子であって、シートバック部１の両側には、いずれもシートバックブラケット１２が設けられ、２つのシートバックブラケット１２の頂部間には、第１のステー３が設けられ、第１のステー３の端部がシートバックブラケット１２の頂部に回動可能に接続され、第１のステー３の一方の側は、第１の依存部３１を形成するために内へ凹んでおり、それに対応して、第１のステー３の他方の側は、第１のガイド部３２を形成するために凸状になる椅子を説明する。
【００２５】
上記の構造を設置することにより、使用する時、ユーザーがシートバックに寄りかかって、背中が第１の依存部に直接接触すると、内へ凹んだ第１の依存部が背中に完全に密着され、ユーザーに効果的な支持を提供する同時に、ユーザーに良い使用体験を与える。背中が第１のガイド部に接触すると、背中が凸状である第１のガイド部に押され、第１のステーが力を受けて第１の依存部までに回動されユーザー背中に完全に密着される。ユーザー背中と第１のステーとの接触面積を増加させるだけではなく、ユーザー背中が受ける圧力も減少され、且つ第１の依存部がユーザー背中に密着され、ユーザーに効果的な支持を提供する同時に、ユーザーに良い使用体験を与える。そして、第１のステーが左右シートバックブラケットの上部を接続したため、椅子はより安定しており、構造はシンプルで、デザインは合理で、快適で耐久性がある。
【００２６】
この実施例において、シート部２の両側には、いずれもシートブラケット１３が設けられ、２つのシートブラケット１３の頂部間には、第２のステー４が設けられ、第２のステー４の端部がシートブラケット１３の前端部に回動可能に接続され、第２のステー４の一方の側は、第２の依存部４１を形成するために内へ凹んでおり、それに対応して、第２のステー４の他方の側は、第２のガイド部４２を形成するために凸状になる。上記の構造を設置することにより、使用する時、ユーザーの脚部がシート部に接触し、脚部が第２の依存部に直接接触すると、内へ凹んだ第２の依存部が脚部に完全に密着され、ユーザーに効果的な支持を提供する同時に、ユーザーに良い使用体験を与える。脚部が第２のガイド部に接触すると、脚部が凸状である第２のガイド部に押さえ、第２のステーが力を受けて、第２の依存部がユーザー脚部に完全に密着されるまでに回動され、ユーザー脚部と第２のステーとの接触面積を増加させることだけでなく、ユーザー脚部が受ける圧力も減少され、且つ第２の依存部がユーザー脚部に密着され、ユーザーに効果的な支持を提供する同時に、ユーザーに良い使用体験を与える。そして、第２のステーが左右シートブラケットの上部を接続したため、椅子はより安定しており、構造はシンプルで、デザインは合理で、快適で耐久性がある。
【００２７】
この実施例において、２つのシートバックブラケット１２は２つの第１のコネクター５をさらに備え、第１のコネクター５の底部には、第１の挿装溝５１が設けられ、シートバックブラケット１２頂部が第１の挿装溝５１に挿装され、第１のコネクター５の上部が第１のステー３に回動可能に接続される。上記の構造を設置することにより、第１のコネクター５は、第１のステーがシートバックブラケット頂部に着脱可能に接続させ、ユーザーが新しい第１のステーを交換することに便利させるとともに、ユーザーが自分の必要に応じて適当な第１のステーを交換することができ、例えば、異なる曲げラジアンの第１のステーを交換して異なる体型のユーザーに適応する。さらに、第１のステーがシートバックブラケット頂部に着脱可能に接続され損傷が発生した時に、第１のステーを交換することもでき、製品の使用寿命を向上させ、構造はシンプルで、使用に便利で、デザインは合理である。
【００２８】
この実施例において、さらには、２つのシート部ブラケット１３は２つの第２のコネクター６をさらに備え、第２のコネクター６の底部には、第２の挿装溝６１が設けられ、シート部ブラケット１３前端部が第２の挿装溝６１に挿装され、第２のコネクター６の上部が第２のステー４に回動可能に接続される。上記の構造を設置することにより、第２のコネクター５は、第２のステーがシートブラケット前端部に着脱可能に接続され、ユーザーが新しい第２のステーを交換することに便利させるとともに、ユーザーが自分の必要に応じて適当な第２のステーを交換することができ、例えば、異なる曲げラジアンの第２のステーを交換して異なる体型のユーザーに適応する。さらに、第２のステーがシートブラケット前端部に着脱可能に接続され損傷が発生した時に、第２のステーを交換することもでき、製品の使用寿命を向上させ、構造はシンプルで、使用に便利で、デザインは合理である。
【００２９】
この実施例において、第１の挿装溝５１側壁には、第１のストッパ貫通孔５２が設けられ、シートバックブラケット１２頂部には、第１のストッパ溝１２１が設けられ、第１のストッパ溝１２１内には、第１の弾性具１２２と第１のストッパ塊１２３が設けられ、第１の弾性具１２２の一方の端が、第１のストッパ溝１２１底部に当接され、第１の弾性具１２２の他方の端が第１のストッパ塊１２３に当接され、第１のストッパ塊１２３は第１のストッパ溝１２１内にスライド可能であり、シートバックブラケット１２頂部が第１の挿装溝５１に挿装された時、第１のストッパ塊１２３が第１のストッパ貫通孔５２に挿入される。上記の構造を設置することにより、使用する時、シートバックブラケット頂部が第１の挿装溝に挿装される時、第１の挿装溝の側壁が第１のストッパ塊を圧迫して、第１の弾性具が力を受けて変形する。シートバックが第１の挿装溝に完全に挿装される時、第１のストッパ塊が第１のストッパ貫通孔までにスライドされ、第１の弾性具がリセットされ、第１のストッパ塊が第１のストッパ貫通孔に挿装され、第１のコネクターがシートバックブラケットにより強固に接続される。着脱する時、第１のスライダを押圧して、第１のコネクターを引いて、第１のステーを交換することに便利である。構造はシンプルで、着脱に便利で、使用に便利である。
【００３０】
この実施例において、第２の挿装溝６１側壁には、第２のストッパ貫通孔６２が設けられ、シートブラケット１３前端部には、第２のストッパ溝１３１が設けられ、第２のストッパ溝１３１内には、第２の弾性具１３２と第２のストッパ塊１３３が設けられ、第２の弾性具１３２の一方の端が、第２のストッパ溝１３１底部に当接され、第２の弾性具１３２の他方の端が、第２のストッパ塊１３３に当接され、第２のストッパ塊１３３は、第２のストッパ溝１３１内にスライド可能であり、シートブラケット１３前端部が第２の挿装溝６１に挿装された時、第２のストッパ塊１３３が第２のストッパ貫通孔６２に挿入される。上記の構造を設置することにより、使用する時、シートブラケット前端部が第２の挿装溝に挿装される時、第２の挿装溝の側壁が第２のストッパ塊を圧迫して、第２の弾性が力を受けて変形する。シートブラケット前端部が第２の挿装溝に完全に挿装される時、第２のストッパ塊が第２のストッパ貫通孔までにスライドされ、第２の弾性具がリセットされ、第２のストッパ塊が第２のストッパ貫通孔に挿装され、第２のコネクターがシートブラケットにより強固に接続される。着脱する時、第２のスライダを押圧して、第２のコネクターを引いて、第２のステーを交換することに便利である。構造はシンプルで、着脱に便利で、使用に便利である。
【００３１】
この実施例において、この椅子は第３のコネクター７をさらに備え、第３のコネクター７の下部がシートブラケット１３後部に回動可能に接続され、第３のコネクター７の上部がシートバックブラケット１２底部に回動可能に接続される。上記の構造を設置することにより、シートブラケットとシートバックブラケットとが第３のコネクター７回りに互いに回動することにより、このシートは折り畳むことができ、収納、運輸、使用に便利で、構造はシンプルで、使用に便利で、デザインは合理である。
【００３２】
この実施例において、この椅子は第４のコネクター８、前脚ブラケット１４、後脚ブラケット１５、及びアームレストブラケット１６をさらに備え、第４のコネクター８がアームレストブラケット１６に固定され、前脚ブラケット１４の頂部が第４のコネクター８前部に回動可能に固定され、後脚ブラケット１５の頂部が第４のコネクター８中部に回動可能に固定され、シートバックブラケット１２の中部が第４のコネクター８後部に回動可能に固定され、シートブラケット１３の中部が前脚ブラケット１４中部に回動可能に接続される。上記の構造を設置することにより、使用する時、第１のステーと第２のステーを引いて、シートバック部の頂部とシート部の頂部とが近くなるように引かれて、全体の椅子を折り畳むことができ、使用はシンプルで、収納に便利で、デザインは合理である。
【００３３】
この実施例において、この椅子は第５のコネクター９をさらに備え、第５のコネクター９の上部には、ストッパピラー９１が設けられ、ストッパピラー９１が第３のコネクター７の上部に接続され、第５のコネクター９の下部が後脚ブラケット１５中部に回動可能に設けられ、シートバックブラケット１２頂部がシートブラケット１３から限界位置まで離れている時、ストッパピラー９１が後脚ブラケット１５に当接される。上記の構造を設置することにより、ストッパピラーが後脚ブラケットに当接され、椅子が開き状態にあり、ユーザーをより支持することができ、構造はシンプルで、デザインは合理である。
【００３４】
この実施例において、前記第１のステー３と前記第２のステー４とは、いずれも直線に引き延ばされたハーフログである。第１の支持具と第２の支持具とはいずれも軸対称に設置され、第１の支持具の両端と第２の支持具の両端には、いずれも軸線方向に沿う水平接続部が設けられ、水平接続部の一方の端が第１のコネクターと第２のコネクターに接続され、水平接続部の他方の端が外へ突出した弧状接続部に接続され、２つの弧状接続部間は１つの直線型の主体接続部により接続される。上記の構造を設置することにより、直線に引き延ばされたハーフログである第１のステーと第２のステーとは、その内へ凹んだ依存部がユーザー背中により効果的に密着されることができ、突出したガイド部は力を受ける時に回動することもより容易になり、依存部がユーザー背中に密着され、構造はシンプルで、デザインは合理で、使用に便利で、ユーザーの使用体験を大幅に向上させる。
【００３５】
この実施例において、２つのシートバックブラケット１２間にはシートバック支持具１２１が設けられ、２つのシートブラケット１３間にはシート支持具１３１が設けられる。シートバック支持具が２つのシートバックブラケットに接続され、シート支持具が２つのシートブラケットに接続され、ユーザーに効果的な支持を提供することができ、構造はシンプルで、デザインは合理で、使用に便利である。
【００３６】
この実施例において、前脚ブラケット１４の底部と後脚ブラケット１５の底部にはいずれも緩衝具１０が設けられる。緩衝具を設置することにより、椅子の前脚と後脚を効果的に保護する一方、使用する時、椅の脚が床に傷を付けることを防止することもでき、構造はシンプルで、デザインは合理である。
【００３７】
この実施例において、前記前脚ブラケット１４には前脚支持具１４１が設けられ、前記前脚支持具１４１の一方の端が前記左前脚ブラケット１４下部に接続され、前記前脚支持具１４１の他方の端が前記右前脚ブラケット１４下部に接続される。前脚支持具を設置することにより、この椅子の前脚はより安定しており、構造はシンプルで、２つの前脚間の距離が固定され、２つの前脚間の距離が変わって第１の支持具が受ける力が大きすぎて柔軟に回動できないことが防止され、構造はシンプルで、使用に便利で、デザインは合理である。
【００３８】
この実施例において、前記後脚ブラケット１５には後脚支持具１５１が設けられ、前記後脚支持具１５１の一方の端が前記左後脚ブラケット１５下部に接続され、前記後脚支持具１５１の他方の端が前記右後脚ブラケット１５下部に接続される。後脚支持具を設置することにより、製品がより安定しており、２つの後脚ブラケット間の距離が限定される。
【００３９】
この実施例において、前記前脚ブラケット１４には前脚固定具１４２が設けられ、前記前脚固定具１４２の一方の端が前記前脚ブラケット１４下部に接続され、前記前脚固定具１４２の他方の端が前記前脚支持具１４１の端部に接続される。前脚固定具が前脚ブラケットと前脚支持具をさらに固定して、それらの三つは１つの三角形に固定され、三角形の特性により、構造がより安定しており、構造はシンプルで、デザインは合理で、強固で耐久性がある。
【００４０】
この実施例において、前記後脚ブラケット１５には後脚固定具１５２が設けられ、前記後脚固定具１５２の一方の端が前記後脚ブラケット１５下部に接続され、前記後脚固定具１５２の他方の端が前記後脚支持具１５１の端部に接続される。後脚固定具が後脚ブラケットと後脚支持具をさらに固定して、それらの三つは１つの三角形に固定され、三角形の特性により、構造がより安定しており、構造はシンプルで、デザインは合理で、強固で耐久性がある。
【００４１】
以上は、具体的なコンテンツを結び付けて提供される１つまたは複数の実施形態であり、本考案の具体的な実施がこれらの説明に限定されるとは見なされない。本実用新案の方法、構造等と、類似、等同、または本実用新案のアイデアを前提としたいくつかの技術的な演繹または置き換えは、本実用新案の保護の範囲と見なされるべきである。
【図１】
0003229270.tif 000003
【図２】
0003229270.tif 000004
【図３】
0003229270.tif 000005
【図４】
0003229270.tif 000006
【図５】
0003229270.tif 000007
【図６】
0003229270.tif 000008
【図７】
0003229270.tif 000009
【図８】
0003229270.tif 000010
【図９】
0003229270.tif 000011
【図１０】
0003229270.tif 000012
【手続補正書】
【提出日】令和2年9月3日(2020.9.3)
【手続補正１】
【補正対象書類名】実用新案登録請求の範囲
【補正対象項目名】全文
【補正方法】変更
【補正の内容】
【実用新案登録請求の範囲】
【請求項１】
シートバック部（１）と、前記シートバック部（１）に接続されるシート部（２）とを備える椅子であって、  前記シートバック部（１）の両側には、いずれもシートバックブラケット（１２）が設けられ、  ２つの前記シートバックブラケット（１２）の頂部間には、第１のステー（３）が設けられ、  前記第１のステー（３）の端部が前記シートバックブラケット（１２）の頂部に回動可能に接続され、  前記第１のステー（３）の一方の側は、第１の依存部（３１）を形成するために内へ凹んでおり、  それに対応して、前記第１のステー（３）の他方の側は、第１のガイド部（３２）を形成するために凸状になる、ことを特徴とする椅子。
【請求項２】
前記シート部（２）の両側には、いずれもシートブラケット（１３）が設けられ、  ２つの前記シートブラケット（１３）の頂部間には、第２のステー（４）が設けられ、  前記第２のステー（４）の端部が前記シートブラケット（１３）の前端部に回動可能に接続され、  前記第２のステー（４）の一方の側は、第２の依存部（４１）を形成するために内へ凹んでおり、  それに対応して、前記第２のステー（４）の他方の側は、第２のガイド部（４２）を形成するために凸状になる、ことを特徴とする請求項１に記載の椅子。
【請求項３】
２つの前記シートバックブラケット（１２）は２つの第１のコネクター（５）をさらに備え、  前記第１のコネクター（５）の底部には、第１の挿装溝（５１）が設けられ、  前記シートバックブラケット（１２）頂部が前記第１の挿装溝（５１）に挿装され、  前記第１のコネクター（５）の上部が前記第１のステー（３）に回動可能に接続される、ことを特徴とする請求項１に記載の椅子。
【請求項４】
２つの前記シートブラケット（１３）は２つの第２のコネクター（６）をさらに備え、  前記第２のコネクター（６）の底部には、第２の挿装溝（６１）が設けられ、  前記シートブラケット（１３）前端部が前記第２の挿装溝（６１）に挿装され、  前記第２のコネクター（６）の上部が前記第２のステー（４）に回動可能に接続される、ことを特徴とする請求項２に記載の椅子。
【請求項５】
前記第１の挿装溝（５１）側壁には、第１のストッパ貫通孔（５２）が設けられ、  前記シートバックブラケット（１２）頂部には、第１のストッパ溝（１２１）が設けられ、  前記第１のストッパ溝（１２１）内には、第１の弾性具（１２２）と第１のストッパ塊（１２３）が設けられ、  前記第１の弾性具（１２２）の一方の端が、前記第１のストッパ溝（１２１）底部に当接され、  前記第１の弾性具（１２２）の他方の端が前記第１のストッパ塊（１２３）に当接され、  前記第１のストッパ塊（１２３）は、前記第１のストッパ溝（１２１）内にスライド可能であり、  前記シートバックブラケット（１２）頂部が前記第１の挿装溝（５１）に挿装された時、前記第１のストッパ塊（１２３）が前記第１のストッパ貫通孔（５２）に挿入される、ことを特徴とする請求項３に記載の椅子。
【請求項６】
前記第２の挿装溝（６１）側壁には、第２のストッパ貫通孔（６２）が設けられ、  前記シートブラケット（１３）前端部には、第２のストッパ溝（１３１）が設けられ、  前記第２のストッパ溝（１３１）内には、第２の弾性具（１３２）と第２のストッパ塊（１３３）が設けられ、  前記第２の弾性具（１３２）の一方の端が、前記第２のストッパ溝（１３１）底部に当接され、  前記第２の弾性具（１３２）の他方の端が、前記第２のストッパ塊（１３３）に当接され、  前記第２のストッパ塊（１３３）は、前記第２のストッパ溝（１３１）内にスライド可能であり、  前記シートブラケット（１３）前端部が前記第２の挿装溝（６１）に挿装された時、前記第２のストッパ塊（１３３）が前記第２のストッパ貫通孔（６２）に挿入される、ことを特徴とする請求項４に記載の椅子。
【請求項７】
第３のコネクター（７）をさらに備え、  前記第３のコネクター（７）の下部が前記シートブラケット（１３）後部に回動可能に接続され、  前記第３のコネクター（７）の上部が前記シートバックブラケット（１２）底部に回動可能に接続される、ことを特徴とする請求項２，４または６のいずれかに記載の椅子。
【請求項８】
第４のコネクター（８）、前脚ブラケット（１４）、後脚ブラケット（１５）、及びアームレストブラケット（１６）をさらに備え、  前記第４のコネクター（８）が前記アームレストブラケット（１６）に固定され、  前記前脚ブラケット（１４）の頂部が前記第４のコネクター（８）前部に回動可能に固定され、  前記後脚ブラケット（１５）の頂部が前記第４のコネクター（８）中部に回動可能に固定され、  前記シートバックブラケット（１２）の中部が前記第４のコネクター（８）後部に回動可能に固定され、  前記シートブラケット（１３）の中部が前記前脚ブラケット（１４）中部に回動可能に接続される、ことを特徴とする請求項２，４または６のいずれかに記載の椅子。
【請求項９】
第４のコネクター（８）、前脚ブラケット（１４）、後脚ブラケット（１５）、及びアームレストブラケット（１６）をさらに備え、  前記第４のコネクター（８）が前記アームレストブラケット（１６）に固定され、  前記前脚ブラケット（１４）の頂部が前記第４のコネクター（８）前部に回動可能に固定され、  前記後脚ブラケット（１５）の頂部が前記第４のコネクター（８）中部に回動可能に固定され、  前記シートバックブラケット（１２）の中部が前記第４のコネクター（８）後部に回動可能に固定され、  前記シートブラケット（１３）の中部が前記前脚ブラケット（１４）中部に回動可能に接続される、ことを特徴とする請求項７に記載の椅子。
【請求項１０】
第５のコネクター（９）をさらに備え、  前記第５のコネクター（９）の上部には、ストッパピラー（９１）が設けられ、  前記ストッパピラー（９１）が前記第３のコネクター（７）の上部に接続され、  前記第５のコネクター（９）の下部が前記後脚ブラケット（１５）中部に回動可能に設けられ、  前記シートバックブラケット（１２）頂部が前記シートブラケット（１３）から限界位置まで離れている時、前記ストッパピラー（９１）が前記後脚ブラケット（１５）に当接される、ことを特徴とする請求項９に記載の椅子。
【請求項１１】
前記第１のステー（３）と前記第２のステー（４）とは、いずれも直線に引き延ばされたハーフログである、ことを特徴とする請求項２に記載の椅子。